(57)【特許請求の範囲】
【請求項１】
測定者が把持し、測定対象箇所に当接される先端部を有する棒状部材と、
前記棒状部材の先端部近傍に、前記棒状部材を回動軸として回動自在に取り付けられた支持部材と、
前記支持部材を介して前記棒状部材に偏設され、もって前記棒状部材の先端部と異なる位置において測定対象箇所に当接される測定車輪と、
前記測定車輪の回転から移動距離を測定する距離測定手段とを備え、
前記測定車輪の回転軸が前記支持部材によって支持され、
前記測定車輪の前記回転軸の軸線方向が、前記測定車輪が前記支持部材と共に回動するときに前記測定車輪の中心が描く円形軌跡の接線方向と一致しており、
前記棒状部材の先端部に対する前記測定車輪の相対的位置が弾性部材を用いて変動するように構成される距離測定器。
【請求項２】
前記弾性部材によって前記測定車輪の位置が変動することにより、前記棒状部材の先端部に対する前記測定車輪の相対的位置が変動することを特徴とする、請求項１に記載の距離測定器。
【請求項３】
前記弾性部材によって前記棒状部材の先端部の位置が変動することにより、前記棒状部材の先端部に対する前記測定車輪の相対的位置が変動することを特徴とする、請求項１に記載の距離測定器。
【請求項４】
前記棒状部材の先端部にマーキング機構が設けられていることを特徴とする、請求項１〜３のいずれか１項に記載の距離測定器。
【発明の詳細な説明】
【技術分野】
【０００１】
本発明は、所望の二点間の距離を測定する距離測定器に関する。
【背景技術】
【０００２】
主に地面や道路、線路等における所望の二点間の距離を測定するために、ロードメジャー、ホイールカウンタ等と呼ばれるホイール型距離測定器が普及している。一般にこのようなホイール型距離測定器は、一端に把持部を設けた棒状の操作杆の先端に測定用ホイールを取り付けた構成を有し、把持部を握った状態で、このホイールを測定対象となる二点間で歩きながら転がすことにより、ホイールの回転動作から二点間の距離を算出し、アナログ又はデジタル方式でその距離を表示するものである。特許文献１には、操作杆の上端に握手ハンドルが、下端側に測長用車輪が取り付けられ、磁気を用いて車輪の移動距離を計測してデジタル表示するロードメジャーが開示されている。
【０００３】
ところで、このようなホイール型距離測定器は、地面のみならず、壁面や天井面における距離の測定にも適用することができる。例えばビルや橋桁のようなコンクリート建造物には経年劣化により壁面や天井面等にクラックが入ることがあり、そのクラックの補修のためにクラックの位置特定を行うと共にクラックの長さを測定することがある。特許文献２には、そのような壁や天井などに生じたクラックの長さを測定するホイール型のクラック測定器が開示されている。
【先行技術文献】
【特許文献】
【０００４】
【特許文献１】特開昭６１−０２６８１６号公報
【特許文献２】特開２００９−１７４９５０号公報
【発明の概要】
【発明が解決しようとする課題】
【０００５】
地面において距離を測定する場合、測定者が測定対象箇所に沿って歩きながらホイールを転がすことによって距離を測定するため、測定者と測定器との位置関係は基本的にほぼ一定で変化せず、また測定器と測定対象箇所との位置関係もほぼ一定で変化しないため、さほど測定器の動きに気を遣うことなく測定ができる。一方、地面における距離の測定とは異なり、壁面や天井面において距離を測定する場合は、測定者が測定対象箇所に沿って歩くということはあり得ない。
【０００６】
例えば特許文献２に開示されているクラック測定器を用いて壁面や天井面のクラックの長さを測定することを考えると、測定者は、測定器を手で持ち上げ、ホイール部分が測定対象箇所に沿って転がるように測定器自体を手で動かしつつ、測定者自身も動きながらかつ測定器も動かす必要がある。壁面や天井面に生じるクラックは直線的ではなく不規則に曲折を繰り返しながら生じることも多いため、細かくホイールの向きを変えることが求められ、特に壁面と地面（床面）との境界付近や壁面と天井面との境界付近において生じたクラックの長さを計測する場合には、狭い場所でホイールの向きを変えられるような取り回しの良さが測定器に求められる。
【０００７】
本発明は、このような点に鑑みてなされたものであり、壁面や天井面における距離測定時にも容易に取り扱うことができ、ストレスなく距離を測定することができる距離測定器を提供することを目的とする。
【課題を解決するための手段】
【０００８】
上記目的を達成するために、本発明は、測定者が把持する棒状部材と、前記棒状部材の先端部近傍に、前記棒状部材を回動軸として回動自在に取り付けられた支持部材と、前記支持部材に回転軸を支持され、前記棒状部材の軸線の延長線上に重ならないように偏設された測定車輪と、前記測定車輪の回転から移動距離を測定する距離測定手段とを備え、前記測定車輪の前記回転軸の軸線方向が、前記測定車輪が前記支持部材と共に回動するときに前記測定車輪の中心が描く円形軌跡の接線方向と一致している距離測定器を提供する（発明１）。
【０００９】
上記発明（発明１）によれば、測定車輪が支持部材を介して棒状部材の周りを回動自在に取り付けられていることにより、棒状部材の先端部で測定対象箇所をなぞるように距離測定器を測定者が動かすと、測定車輪が棒状部材の先端部の動きに追随するように測定対象箇所に沿って転がるため、壁面や天井面における距離測定時にも容易に取り扱うことができ、ストレスなく距離を測定することができる。
【００１０】
上記発明（発明１）においては、前記棒状部材の先端部に対する前記測定車輪の相対的位置が弾性部材を用いて変動するように構成されていることが好ましい（発明２）。
【００１１】
壁面や天井面における距離測定時には、測定者と距離測定器との位置関係が測定中に変化し、また距離測定器と測定対象箇所との位置関係も変化するため、距離測定器の棒状部材及び測定車輪の両方が壁面や天井面に接するように、常に一定の角度を維持したまま測定対象箇所を測定することが難しい。上記発明（発明２）によれば、距離測定器の測定対象箇所に対する角度を変えても、棒状部材の先端部に対する測定車輪の相対的位置が変動するため、常に距離測定器の棒状部材及び測定車輪の両方が壁面や天井面に接するように距離測定器を動かすことができる。
【００１２】
上記発明（発明２）においては、前記弾性部材によって前記測定車輪の位置が変動することにより、前記棒状部材の先端部に対する前記測定車輪の相対的位置が変動してもよいし（発明３）、前記弾性部材によって前記棒状部材の先端部の位置が変動することにより、前記棒状部材の先端部に対する前記測定車輪の相対的位置が変動してもよい（発明４）。
【００１３】
上記発明（発明１〜４）においては、前記棒状部材の先端部にマーキング機構が設けられていることが好ましい（発明５）。
【００１４】
上記発明（発明５）によれば、測定対象箇所を棒状部材の先端部でなぞっていくことにより、距離の測定と同時に測定対象箇所のマーキングも行うことができる。
【発明の効果】
【００１５】
本発明の距離測定器は、壁面や天井面における距離測定時にも容易に取り扱うことができ、ストレスなく距離を測定することができる。
【図面の簡単な説明】
【００１６】
【図１】第一実施形態に係る距離測定器の全体の構成を示す概略図である。
【図２】同実施形態に係る距離測定器の操作杆先端部の構成を示す部分断面図である。
【図３】同実施形態に係る距離測定器の測定車輪及び支持部材の構成を示す概略図である。
【図４】同実施形態に係る距離測定器で距離測定をする様子を示す説明図である。
【図５】同実施形態に係る距離測定器の操作杆が傾いた状態で距離測定をする様子を示す説明図である。
【図６】同実施形態に係る距離測定器で湾曲した天井面の距離測定をする様子を示す説明図である。
【図７】第二実施形態に係る距離測定器の先端部の構成を示す部分概略図である。
【図８】第三実施形態に係る距離測定器の先端部の構成を示す部分概略図である。
【図９】同実施形態に係る距離測定器の測定車輪及び支持部材の構成を示す概略図である。
【発明を実施するための形態】
【００１７】
以下、本発明の実施形態を図面に基づいて詳細に説明する。なお、本願においては、ビルや橋桁のようなコンクリート建造物の壁面や天井面に生じた亀裂の長さを測定することを前提として説明し、この測定対象となる亀裂自体を測定対象箇所と呼ぶが、その亀裂が生じている領域（亀裂及びその亀裂周辺も含む領域）を測定対象箇所と呼ぶこともある。
【００１８】
［第一実施形態］
図１は本発明の第一実施形態に係る距離測定器１の全体の構成を示す概略図である。本発明の第一実施形態に係る距離測定器１は、測定者Ｐが把持する棒状の操作杆２と、操作杆２の先端部近傍に、操作杆２を回動軸として回動自在に取り付けられた支持部材３と、支持部材３に回転軸４０を支持され、操作杆２の軸線の延長線上に重ならないように偏設された測定車輪４と、測定車輪４の回転変位量を電気信号に変換するロータリーエンコーダ５と、距離測定の開始・終了等の操作を行うと共に測定結果が表示される表示・操作部６とから構成されている。本実施形態においては、測定車輪４の回転から移動距離を測定するための距離測定手段として、ロータリーエンコーダ５を用いている。
【００１９】
操作杆２は円筒パイプ状の棒状部材であり、操作杆本体２０の一端に測定者Ｐが把持するための樹脂製のグリップ２１が装着されている。もう一方の端部近傍には支持部材３を回動自在に取り付けるために操作杆本体２０よりも縮径された取付部２２が設けられており、さらにその先の先端部には測定対象箇所をマーキングするためのマーキング機構としてのチョーク２３が取り付けられている。
【００２０】
操作杆２の先端部付近は、図２に示すように、チョーク２３、保持部材２４、キャップ部材２５及びコイルばね２６から構成されており、チョーク２３は保持部材２４を介して操作杆本体２０の軸心上に取り付けられている。また、操作杆本体２０の先端部内部には、円柱状の空洞２０１が操作杆本体２０の先端側が開口した状態で穿設されている。この空洞２０１に、チョーク２３を保持した保持部材２４の一部分と、保持部材２４の底面２４１と空洞２０１の底部２０２とに両端が当接した状態でコイルばね２６が収納されている。操作杆本体２０の先端部には中央に開口２５１を有するキャップ部材２５が取り付けられており、保持部材２４のチョーク２３を保持している側がキャップ部材２５の開口２５１からチョーク２３と共に突出している。
【００２１】
本実施形態においては、チョーク２３を操作杆本体２０側に押す力が働くと、チョーク２３が保持部材２４と共に操作杆本体２０の内部に移動し、押す力が解放されるとコイルばね２６の復元力によりチョーク２３及び保持部材２４が元に位置に戻るように構成されている。
【００２２】
なお、チョーク２３のようなマーキング機構を操作杆２の先端に設けることにより、測定対象箇所を操作杆２の先端部でなぞっていくことにより、距離の測定と同時に測定対象箇所のマーキングも行うことができる。マーキング機構としては、チョーク２３の他、インクやペンキ等が染み出すペン先を用いたものであってもよいし、塗料を吐出するスプレーノズルを用いたものであってもよい。
【００２３】
支持部材３は、図３に示すように、操作杆本体２０の取付部２２に嵌合する取付孔３０１が設けられている基部３０と、測定車輪４の回転軸４０を支持するためのアーム部３１ａ，３１ｂとから構成されている。アーム部３１ａ，３１ｂは基部３０から対称かつ平行に延設されており、アーム部３１ａとアーム部３１ｂのそれぞれの端部の間に測定車輪４の回転軸４０が渡されて支持される。取付孔３０１の内径は操作杆本体２０の取付部２２の外径よりもわずかに大きくなっており、支持部材３が操作杆２を回動軸として自在に回動可能になっている。
【００２４】
支持部材３の操作杆２への取り付けは、キャップ部材２５が操作杆本体２０から外れた状態で、まず支持部材３の基部３０の取付孔３０１を操作杆本体２０の取付部２２に嵌合させ、その状態でキャップ部材２５を操作杆本体２０の先端部に嵌め込んで固定することによって行う。キャップ部材２５を操作杆本体２０に固定する手段は溶接や接着剤等、特に限定されるものではないが、例えばキャップ部材２５の内側面と操作杆本体２０の先端部外側面にネジ山を切ったスクリューキャップ方式等を採用し、状況によってキャップ部材２５を取り外し可能に構成することが好ましい。
【００２５】
測定車輪４は、測定対象箇所に接する外周面がゴム製の円盤形の車輪部材である。測定車輪４は回転軸４０を中心に回転可能な円盤形状を有するものであれば特にその構造は限定されず、例えば円盤状のゴム部材の中心に回転軸４０が取り付けられているだけのものでもよいし、ステンレスやアルミ製のホイールの外周にタイヤ状のゴム部材を取り付け、ホイールの中心に回転軸４０が取り付けられたものであってもよい。
【００２６】
ロータリーエンコーダ５は測定車輪４の回転変位量を電気信号に変換するものであり、距離測定器自体の大きさや重さ等を考慮しながら公知のロータリーエンコーダを適宜採用することができる。ロータリーエンコーダ５には測定車輪４の回転軸４０の一端が結合されており、回転軸４０の回転変位量に応じてパルス信号が出力され、このパルス信号を処理して測定車輪４の移動距離が求められる。求められた測定車輪４の移動距離データは、ロータリーエンコーダ５の受発信部（不図示）を経由して表示・操作部６の受発信部（不図示）へと伝送されるが、この情報伝送には例えばBluetooth（登録商標）等の公知の近距離無線通信技術を用いることができる。
【００２７】
表示・操作部６は、電源オンオフを行う電源スイッチ６０と、測定した距離が表示されるディスプレイ６１と、測定を開始するときに押下する測定開始ボタン６２と、測定を終了するときに押下する測定終了ボタン６３と、測定した距離を積算していくときに押下する積算ボタン６４と、測定した距離データを一旦リセットするときに押下するクリアボタン６５とを備えている。ディスプレイ６１には距離が二段に表示され、上段には一回の測定で測定された距離が表示され、下段には積算ボタンを押して積算された距離の総計が表示される。
【００２８】
本実施形態に係る距離測定器１は、以上に説明した構成を有することにより、測定車輪４の回転軸４０の軸線方向が、測定車輪４が支持部材３と共に操作杆２を回動軸として操作杆２の周りを回動するときに測定車輪４の中心が描く円形軌跡の接線方向と一致していることになる。つまり、測定車輪４は支持部材３を介して操作杆２の周りを回動自在に取り付けられているが、常に測定車輪４は操作杆２に向かって回転することになる。このように構成されていることにより、操作杆２の先端部（つまりチョーク２３）で測定対象箇所をなぞるように距離測定器１を測定者Ｐが動かすと、測定車輪４が操作杆２の先端部の動きに追随するように測定対象箇所に沿って転がるため、壁面や天井面における距離測定時にも容易に取り扱うことができ、ストレスなく距離を測定することができる。
【００２９】
距離測定器１を用いて天井面７における亀裂の長さを測定する手順を以下に説明する。図４は距離測定器１で距離測定をする様子を示す説明図である。まず測定者Ｐは、電源スイッチ６０を押下して電源をオンにし、グリップ２１を握って距離測定器１を持ち上げて操作杆２の先端部側が天井面７を指すように構える。ここで測定開始ボタン６２を押下し、測定対象箇所である亀裂Ｃの起点（測定開始点Ｓ）から終点（測定終了点Ｅ）まで操作杆２の先端部に装着されたチョーク２３でなぞるように距離測定器１を動かしていく。
【００３０】
亀裂Ｃはきれいな直線や曲線ではなく、途中小刻みに曲折したり大きく向きを変えたりするが、本実施形態に係る距離測定器１であれば、操作杆２のチョーク２３で亀裂Ｃをなぞることにより、測定車輪４は、図４中に二点鎖線で示された車輪軌道Ｔのような軌道で、操作杆２のチョーク２３の動きに追随するように亀裂Ｃに沿って転がることになる。ここで測定車輪４は、操作杆２の延長線上（軸線上）にあるわけではなく、延長線上には重ならないように偏設されているため、図４をみればわかるように、この車輪軌道Ｔは亀裂Ｃと厳密には一致していない。すなわち、測定車輪４の移動距離は亀裂Ｃの長さとは厳密には一致していないことになるが、たとえ多少の測定誤差が出たとしても、天井面や壁面における距離測定においては取り回しの良さ、取り扱いの容易さが優先されることも多く、特に問題はない。
【００３１】
測定終了点Ｅまでチョーク２３でなぞって亀裂Ｃの長さの測定が終わったら、測定終了ボタン６３を押し、ディスプレイ６１の上段に表示されている測定距離を記録等して、次の測定対象箇所を同様に測定していく。
【００３２】
ここで複数の測定対象箇所の測定結果を積算したいときは、測定後に積算ボタン６４を押す。積算ボタン６４を押すとディスプレイ６１の上段に表示されている測定距離が下段に表示される積算距離に積算される。
【００３３】
次の測定対象箇所の測定を始める前にクリアボタン６５を押せば、一旦測定距離がゼロに戻る。また、積算距離もクリアしたい場合はクリアボタン６５と積算ボタン６４を同時に押す。
【００３４】
壁面や天井面における距離測定時には、測定者Ｐと距離測定器１との位置関係が測定中に変化し、また距離測定器１と測定対象箇所との位置関係も変化するため、距離測定器１の操作杆２の先端部及び測定車輪４の両方が壁面や天井面に接するように、常に一定の角度を維持したまま測定対象箇所を測定することが難しい。本実施形態に係る距離測定器１であれば、チョーク２３がコイルばね２６によって可動するようになっており、操作杆２の先端部に対する測定車輪４の相対的位置が変動するように構成されているため、天井面において距離測定を行うときに操作杆２が傾いてしまったとしても、例えば図５に示すように、常にチョーク２３（操作杆２の先端部）と測定車輪４とが天井面に接する状態を作り出すことができる。また、天井面が湾曲しているときであっても、例えば図６に示すように、常にチョーク２３（操作杆２の先端部）と測定車輪４とが天井面に接する状態を作り出すことができる。
【００３５】
なお、本実施形態においては、コイルばね２６によって操作杆２の先端部の位置が変動することにより、操作杆２の先端部に対する測定車輪４の相対的位置が変動するように構成されているが、これに限られるものではなく、例えば測定車輪４の位置が変動することにより、操作杆２の先端部に対する測定車輪４の相対的位置が変動するような構成としてもよい。以下に説明する第二実施形態及び第三実施形態に係る距離測定器１Ａ，１Ｂは測定車輪４の位置が変動するように構成したものである。
【００３６】
［第二実施形態］
続いて本発明の第二実施形態に係る距離測定器１Ａを説明する。距離測定器１Ａは、測定者Ｐが把持する棒状の操作杆２Ａと、操作杆２Ａの先端部近傍に、操作杆２Ａを回動軸として回動自在に取り付けられた支持部材３と、支持部材３に回転軸４０を支持され、操作杆２Ａの軸線の延長線上に重ならないように偏設された測定車輪４と、測定車輪４の回転変位量を電気信号に変換するロータリーエンコーダ５と、距離測定の開始・終了等の操作を行うと共に測定結果が表示される表示・操作部６とから構成されている。距離測定器１Ａは、第一実施形態に係る距離測定器１と比べると、図７に示された操作杆２Ａの先端部付近の構造のみが異なっており、その他の構成は第一実施形態と同じである。なお、第一実施形態と同じ構造を有する部材については同じ符号を用いており、その説明は省略する。
【００３７】
操作杆２Ａの先端部付近は、図７に示すように、チョーク２３、保持部材２４Ａ、キャップ部材２５Ａ及びコイルばね２６Ａから構成されており、チョーク２３は保持部材２４Ａを介して操作杆本体２０Ａの軸心上に取り付けられている。操作杆本体２０Ａとキャップ部材２５Ａとの間には、支持部材３を回動自在に取り付けるために操作杆本体２０Ａよりも縮径された取付部２２Ａが設けられている。取付部２２Ａには支持部材３の他にコイルばね２６Ａも併せて取り付けられており、まず、コイルばね２６Ａのコイル部を取付部２２Ａに通し、コイルばね２６Ａの上部において支持部材３の取付孔３０１を取付部２２Ａに嵌合させ、その上にキャップ部材２５Ａが取り付けられて固定されている。
【００３８】
本実施形態においては、測定車輪４を操作杆本体２０Ａ側に押す力が働くと、測定車輪４と連結されている支持部材３が取付部２２Ａに沿って操作杆本体２０Ａ方向に摺動するため、測定車輪４も支持部材３と共に操作杆本体２０Ａ方向に移動し、押す力が解放されるとコイルばね２６Ａの復元力により測定車輪４及び支持部材３が元の位置に戻るように構成されている。このように構成されていることにより、本実施形態に係る距離測定器１Ａであれば、測定車輪４がコイルばね２６Ａによって可動するようになっており、操作杆２Ａの先端部に対する測定車輪４の相対的位置が変動するように構成されているため、天井面において距離測定を行うときに操作杆２が傾いてしまったとしても、常にチョーク２３（操作杆２Ａの先端部）と測定車輪４とが天井面に接する状態を作り出すことができる。また、天井面が湾曲しているときであっても、常にチョーク２３（操作杆２Ａの先端部）と測定車輪４とが天井面に接する状態を作り出すことができる。
【００３９】
［第三実施形態］
続いて本発明の第三実施形態に係る距離測定器１Ｂを説明する。距離測定器１Ｂは、測定者Ｐが把持する棒状の操作杆２Ｂと、操作杆２Ｂの先端部近傍に、操作杆２Ｂを回動軸として回動自在に取り付けられた支持部材３Ｂと、支持部材３Ｂに回転軸４０を支持され、操作杆２Ｂの軸線の延長線上に重ならないように偏設された測定車輪４と、測定車輪４の回転変位量を電気信号に変換するロータリーエンコーダ５と、距離測定の開始・終了等の操作を行うと共に測定結果が表示される表示・操作部６とから構成されている。距離測定器１Ｂは、第一実施形態に係る距離測定器１及び第二実施形態に係る距離測定器１Ａと比べると、図８に示された操作杆２Ｂの先端部付近の構造のみが異なっており、その他の構成は第一実施形態及び第二実施形態と同じである。なお、第一実施形態又は第二実施形態と同じ構造を有する部材については同じ符号を用いており、その説明は省略する。
【００４０】
操作杆２Ｂの先端部付近は、図８に示すように、チョーク２３、保持部材２４Ｂ及びキャップ部材２５Ｂから構成されており、チョーク２３は保持部材２４Ｂを介して操作杆本体２０Ｂの軸心上に取り付けられている。操作杆本体２０Ｂとキャップ部材２５Ｂとの間には、支持部材３Ｂを回動自在に取り付けるために操作杆本体２０Ｂよりも縮径された取付部２２Ｂが設けられている。
【００４１】
支持部材３Ｂは、図９に示すように、操作杆本体２０Ｂの取付部２２Ｂに嵌合する円筒部材３０Ｂと、測定車輪４の回転軸４０を支持するためのアーム部材３１Ｂａ，３１Ｂｂと、アーム部材３１Ｂａ，３１Ｂｂを円筒部材３０Ｂに回転自在に取り付けるためのピン部材３２Ｂａ，３２Ｂｂと、ねじりばね３３Ｂａ，３３Ｂｂとから構成されている。アーム部材３１Ｂａ，３１Ｂｂは側面視くの字形状を有し、アーム部材３１Ｂａとアーム部材３１Ｂｂのそれぞれの端部の間に測定車輪４の回転軸４０が渡されて支持される。円筒部材３０Ｂの内径は操作杆本体２０Ｂの取付部２２Ｂの外径よりもわずかに大きくなっており、支持部材３Ｂが操作杆２を回動軸として自在に回動可能になっている。
【００４２】
ねじりばね３３Ｂａ，３３Ｂｂは、それぞれのコイル部分にピン部材３２Ｂａ，３２Ｂｂを通し、コイル部分から延びる二本の直線部分のうち、一方をアーム部材３１Ｂａ，３１Ｂｂの内側面に設けられた係止部材３１１Ｂａ，３１１Ｂｂに、もう一方を円筒部材３０Ｂの該側面に設けられた係止部材３０１Ｂａ，３０１Ｂｂに当接させることにより、アーム部材３１Ｂａ，３１Ｂｂが図８に示すような位置関係で円筒部材３０Ｂに対して安定するようになっている。
【００４３】
本実施形態においては、測定車輪４を操作杆本体２０Ｂ側に押す力が働くと、アーム部材３１Ｂａ，３１Ｂｂがピン部材３２Ｂａ，３２Ｂｂを回転支点として円筒部材３０Ｂに対して回転するため、測定車輪４が操作杆本体２０Ｂ方向に回転移動し、押す力が解放されるとねじりばね３３Ｂａ，３３Ｂｂの復元力により測定車輪４及びアーム部材３１Ｂａ，３１Ｂｂが元に位置に戻るように構成されている。このように構成されていることにより、本実施形態に係る距離測定器１Ｂであれば、測定車輪４がねじりばね３３Ｂａ，３３Ｂｂによって可動するようになっており、操作杆２Ｂの先端部に対する測定車輪４の相対的位置が変動するように構成されているため、天井面において距離測定を行うときに操作杆２Ｂが傾いてしまったとしても、常にチョーク２３（操作杆２Ｂの先端部）と測定車輪４とが天井面に接する状態を作り出すことができる。また、天井面が湾曲しているときであっても、常にチョーク２３（操作杆２Ｂの先端部）と測定車輪４とが天井面に接する状態を作り出すことができる。
【００４４】
以上、本発明に係る距離測定器について図面に基づいて説明してきたが、本発明は上記実施形態に限定されることはなく、種々の変更実施が可能である。
【００４５】
例えば、上記各実施形態においては、距離測定器１，１Ａ，１Ｂがいずれも操作杆２の先端部にマーキング機構を有していたが、これに限られるものではなく、例えば操作杆２の先端部にマーキング機構を有さなくても構わないし、マーキング機構の代わりに照明機構を備えていてもよいし、マーキング機構及び照明機構の両方を備えていてもよい。操作杆２の先端部に照明機構を設ければ、暗い作業場所であっても測定者Ｐが測定対象箇所を明確に把握できるため、取り扱いの容易さが向上する。
【００４６】
また、上記各実施形態においては、距離測定器１，１Ａ，１Ｂがいずれも操作杆２の先端部に対する測定車輪４の相対的位置がコイルばね２６等の弾性部材を用いて変動するように構成されていたが、これに限られるものではなく、弾性部材を用いず、操作杆２の先端部に対する測定車輪４の相対的位置が変動しなくてもよい。
【００４７】
さらに、上記各実施形態においては、測定車輪４の回転から移動距離を測定する距離測定手段としてロータリーエンコーダ５を用いているが、測定車輪４の回転から移動距離を測定することができるものであればこれに限られるものではなく、例えば公知のホイール型距離測定器が用いているギヤ式のメカニカルカウンタを用いることもできる。また、ロータリーエンコーダについても測定車輪の回転角度を検出できるものであれば検出方法は限定されない。例えば、接触式としては、通電式のロータリーエンコーダを用いることができる。非接触式としては、光学式や磁気式のロータリーエンコーダを用いることができる。
【符号の説明】
【００４８】
１，１Ａ，１Ｂ  距離測定器
２，２Ａ，２Ｂ  操作杆
３，３Ｂ  支持部材
４  測定車輪
５  ロータリーエンコーダ
６  表示・操作部
７  天井面
Ｓ  測定開始点
Ｅ  測定終了点
Ｃ  亀裂
【要約】
【課題】壁面や天井面における距離測定時にも容易に取り扱うことができ、ストレスなく距離を測定することができる距離測定器を提供する。
【解決手段】距離測定器１は、測定者Ｐが把持する操作杆２と、操作杆２の先端部近傍に、棒状部材２を回動軸として回動自在に取り付けられた支持部材３と、支持部材３に回転軸４０を支持され、棒状部材２の軸線の延長線上に重ならないように偏設された測定車輪４と、測定車輪４の回転から移動距離を測定するロータリーエンコーダ５とを備える。距離測定器１の測定車輪４の回転軸の軸線方向が、測定車輪４が支持部材３と共に回動するときに測定車輪２の中心が描く円形軌跡の接線方向と一致している。
【選択図】図１【図１】
0005847348.tif 000002
【図２】
0005847348.tif 000003
【図３】
0005847348.tif 000004
【図４】
0005847348.tif 000005
【図５】
0005847348.tif 000006
【図６】
0005847348.tif 000007
【図７】
0005847348.tif 000008
【図８】
0005847348.tif 000009
【図９】
0005847348.tif 000010